【手続補正書】
【提出日】平成17年3月29日(2005.3.29)
【手続補正１】
【補正対象書類名】明細書
【補正対象項目名】特許請求の範囲
【補正方法】変更
【補正の内容】
【特許請求の範囲】
【請求項１】  乳頭表面と接触したときに微生物の集団個体数を効果的に減少させ、そして長期間にわたってそれを効果的に抑制することができる、酸性物質部分および亜塩素酸塩部分を含む物理的および化学的に安定な乳腺炎処置組成物であって、前記組成物は、
（ａ）有機成分を含む酸性物質部分であって、前記有機成分は、
（ｉ）約０．１〜１５重量部の抗微生物性弱酸もしくはその塩またはそれらの混合      物、
（ｉｉ）約０．１〜１５重量部の弱有機酸もしくは弱無機酸、またはそれらの塩、      またはそれらの混合物、前記酸はリン酸または乳酸から成る群より選択される、お      よび
（ｉｉｉ）より多量の割合の水、
を含む酸性物質部分、および
（ｂ）有機成分を実質的に含まず、アルカリ金属亜塩素酸塩から本質的に成る亜塩素酸塩部分、
を含んでなり、前記組成物は付着を促進して乳頭表面上で組成物を固定化しかつ環境的汚染に対するバリヤーを提供するレオロジーを示す、物理的および化学的に安定な乳腺炎処置組成物。
【請求項２】  アルカリ金属亜塩素酸塩が亜塩素酸ナトリウムを含む、請求項１に記載の組成物。
【請求項３】  有機酸が乳酸を含む、請求項１に記載の組成物。
【請求項４】  抗微生物性弱酸がＣ6-12カルボン酸とアルカンスルホン酸との混合物を含み、ここでアルカンは６〜１２個の炭素原子を含む、請求項１に記載の組成物。
【請求項５】  組成物が約０．０５〜２重量部のキサンタン増粘剤と、約０．１〜５重量部の、ポリビニルアルコール、ポリ酢酸ビニルおよびそれらの混合物から成る群より選択されるフィルム形成剤との混合物を含む、請求項１に記載の組成物。
【手続補正２】
【補正対象書類名】明細書
【補正対象項目名】０１３５
【補正方法】変更
【補正の内容】
【０１３５】
手順は次の通りである。約５００ｍｌの実験の乳頭浸液を６００ｍｌのビーカーの中に入れる。種々のｒｐｍにおいて、粘度の測定値を記録する。装置：ブルックフィールドＲＶＴ粘度計、スピンドル＃１および２、種々のｒｐｍ（下記のチャートを参照）。開始温度：７３．６°Ｆ−停止温度：７３．８°Ｆ。
ｒｐｍ 実施例ＩＩ 実施例ＩＸ UDDER GOLD PLUS  スピンドル＃
５      ９４０        ８０２          ２４４                １
１０      ５９５        ５０１          ２４０                １
２０      ３７４        ３１５          ２３４                １
５０      ２４７        ２１０          ２３０                ２
１００      １５６        １４１          ２２４                ２
上の明細書、実施例およびデータは、本発明の組成物および方法の操作を理解する明瞭な基礎を提供する。本発明は種々の特定の実施例および方法において具体化することができるが、本発明は添付する特許請求の範囲により規定される。これらの特許請求の範囲において、割合は概して特許請求の範囲に記載される抗乳腺炎組成物の各１００部当たりの重量部で表される。
本発明のいくつかの実施形態を示すと以下のとおりである。
〔形態１〕  乳頭表面と接触したときに微生物の集団個体数を効果的に減少させ、そして長期間にわたってそれを効果的に抑制することができる、酸性物質部分および亜塩素酸塩部分を含む物理的および化学的に安定な乳腺炎処置組成物であって、前記組成物は、
（ａ）有機成分を含む酸性物質部分であって、前記有機成分は、
（ｉ）約０．１〜１５重量部の抗微生物性弱酸もしくはその塩またはそれらの混合      物、
（ｉｉ）約０．１〜１５重量部の弱有機酸もしくは弱無機酸、またはそれらの塩、      またはそれらの混合物、前記酸はリン酸または乳酸から成る群より選択される、お      よび
（ｉｉｉ）より多量の割合の水、
を含む酸性物質部分、および
（ｂ）有機成分を実質的に含まず、アルカリ金属亜塩素酸塩から本質的に成る亜塩素酸塩部分、
を含んでなり、前記組成物は付着を促進して乳頭表面上で組成物を固定化しかつ環境的汚染に対するバリヤーを提供するレオロジーを示す、物理的および化学的に安定な乳腺炎処置組成物。
〔形態２〕  アルカリ金属亜塩素酸塩が亜塩素酸ナトリウムを含む、形態１に記載の組成物。
〔形態３〕  有機酸が乳酸を含む、形態１に記載の組成物。
〔形態４〕  無機酸がリン酸を含む、形態１に記載の組成物。
〔形態５〕  抗微生物性酸が炭化水素スルホン酸を含む、形態１に記載の組成物。
〔形態６〕  炭化水素スルホン酸がアルカンスルホン酸を含み、ここでアルカン基は６〜１８個の炭素原子を有する、形態５に記載の組成物。
〔形態７〕  抗微生物性弱酸がＣ6-12カルボン酸とアルカンスルホン酸との混合物を含み、ここでアルカンは６〜１２個の炭素原子を含む、形態１に記載の組成物。
〔形態８〕  炭化水素スルホン酸がアルキルベンゼンスルホン酸を含み、ここでアルキル基は９〜１８個の炭素原子を有する、形態５に記載の組成物。
〔形態９〕  組成物が約０．１〜約２０重量部の有機ポリマー増粘剤、有機ポリマーフィルム形成剤またはそれらの混合物を含む、形態１に記載の組成物。
〔形態１０〕  組成物が約０．０５〜２重量部のキサンタン増粘剤と、約０．１〜５重量部の、ポリビニルアルコール、ポリ酢酸ビニルおよびそれらの混合物から成る群より選択されるフィルム形成剤との混合物を含む、形態９に記載の組成物。
〔形態１１〕  有機ポリマー増粘剤が最終組成物に限界剪断応力を有する偽塑性挙動を付与する材料を含む、形態９に記載の組成物。
〔形態１２〕  組成物が約１〜１０部の皮膚柔軟化剤をさらに含む、形態１に記載の組成物。
〔形態１３〕  酸性物質部分および亜塩素酸塩部分を含む組成物のｐＨが約２．５〜４．５である、形態１に記載の組成物。
〔形態１４〕  酸性物質部分および亜塩素酸塩部分を含む組成物のｐＨが約２．５〜３．５である、形態１に記載の組成物。
〔形態１５〕  亜塩素酸塩部分が固体の無機部分である、形態１に記載の組成物。
〔形態１６〕  亜塩素酸塩部分がほぼ等しい割合の炭酸ナトリウムおよび亜塩素酸ナトリウムを含む固体の錠剤である、形態１５に記載の組成物。
〔形態１７〕  亜塩素酸塩部分が粉末状無機部分である、形態１５に記載の組成物。
〔形態１８〕  亜塩素酸塩部分が水性無機部分である、形態１に記載の組成物。
〔形態１９〕  ポリビニルアルコールが約１５〜１００×１０3 の分子量（Ｍｎ）および約９２〜９９％の加水分解度を有する、形態１０に記載の組成物。
〔形態２０〕  下記の成分：
（ａ）有機成分を含む酸性物質部分であって、前記有機成分は
（ｉ）約０．１〜１５重量部の抗微生物性炭化水素スルホン酸もしくはその塩、ま      たはそれらの混合物、
（ｉｉ）約０．１〜１５重量部の弱い有機もしくは無機酸、またはそれらの塩、ま      たはそれらの混合物、前記酸はリン酸または乳酸から成る群より選択される、およ      び
（ｉｉｉ）より多量の割合の水、
を含む酸性物質部分、および
（ｂ）有機成分を実質的に含まず、アルカリ金属亜塩素酸塩から本質的に成る亜塩素酸塩部分、
を組合わせて、約１５００ｐｐｍより少ないＣｌＯ2 および約３９００ｐｐｍより少ない酸素化塩素種の衛生化性成分を含有する、水性増粘化乳頭浸漬材料を形成することによって、乳腺炎処置組成物を形成すること（前記組成物は付着を促進して乳頭表面上で組成物を固定化しかつ環境的汚染に対するバリヤーを提供するレオロジーを示す）、および、前記組成物を乳用動物に適用することを含む、乳頭浸液により乳用動物の乳頭上の微生物の集団個体数を減少させかつ乳用動物上に抗微生物性バリヤーを導入する方法。
〔形態２１〕  アルカリ金属亜塩素酸塩が亜塩素酸ナトリウムを含む、形態２０に記載の方法。
〔形態２２〕  有機酸が乳酸を含む、形態２０に記載の方法。
〔形態２３〕  無機酸がリン酸を含む、形態２０に記載の方法。
〔形態２４〕  炭化水素スルホン酸がアルカンスルホン酸を含み、ここでアルカン基は６〜１２個の炭素原子を有する、形態２０に記載の方法。
〔形態２５〕  炭化水素スルホン酸がアルキルベンゼンスルホン酸を含み、ここでアルキル基は９〜１８個の炭素原子を有する、形態２０に記載の方法。
〔形態２６〕  組成物がポリマー増粘剤もしくはポリマーフィルム形成剤またはそれらの混合物を含む、形態２０に記載の方法。
〔形態２７〕  組成物が約０．０５〜２重量部のキサンタン増粘剤と、約０．１〜５重量部の、ポリビニルアルコール、ポリ酢酸ビニルおよびそれらの混合物から成る群より選択されるフィルム形成剤との混合物を含む、形態２６に記載の方法。
〔形態２８〕  有機ポリマー増粘剤が最終組成物に限界剪断応力を有する偽塑性挙動を付与する材料を含む、形態２６に記載の方法。
〔形態２９〕  組成物が約１〜１０部の皮膚柔軟化剤をさらに含む、形態２０に記載の方法。
〔形態３０〕  酸性物質部分および亜塩素酸塩部分から配合された最終材料のｐＨが約２．５〜４．５である、形態２０に記載の方法。
〔形態３１〕  酸性物質部分および亜塩素酸塩部分から配合された最終材料のｐＨが約２．５〜３．５である、形態２０に記載の方法。
〔形態３２〕  亜塩素酸塩部分が水性無機部分である、形態２０に記載の方法。
〔形態３３〕  亜塩素酸塩部分が固体の無機部分である、形態２０に記載の方法。
〔形態３４〕  亜塩素酸塩部分がほぼ等しい割合の炭酸ナトリウムおよび亜塩素酸ナトリウムを含む固体の錠剤である、形態３３に記載の方法。
〔形態３５〕  亜塩素酸塩部分が粉末状無機部分である、形態３３に記載の方法。
〔形態３６〕  ポリビニルアルコールが約１５×１０3 〜１００×１０3 の分子量（Ｍｎ）および約９２〜９９％の加水分解度を有する、形態２１に記載の方法。
〔形態３７〕  乳頭表面と接触したときに微生物の集団個体数を効果的に減少させ、そして長期間にわたってそれを効果的に抑制することができる、酸性物質部分および亜塩素酸塩部分を含む物理的および化学的に安定な乳腺炎処置組成物であって、前記組成物は、
（ａ）有機成分を含む酸性物質部分であって、前記有機成分は
（ｉ）約０．１〜１５重量部の抗微生物性弱酸もしくはその塩またはそれらの混合      物、
（ｉｉ）約０．１〜１５重量部の弱い有機もしくは無機酸、またはそれらの塩、ま      たはそれらの混合物、前記酸はリン酸または乳酸から成る群より選択される、およ      び
（ｉｉｉ）より多量の割合の水、
を含む酸性物質部分、および
（ｂ）有機成分を実質的に含まず、アルカリ金属亜塩素酸塩から本質的に成る亜塩素酸塩部分、
を含んでなる、物理的および化学的に安定な乳腺炎処置組成物。